【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
電源手段を備え、タブレットに向けて所定のタイミングで間欠的に位置指示信号を送信する位置指示器と、前記位置指示信号を検出することにより前記位置指示器のタブレット面上での指示位置を求めるタブレットと、からなる位置検出装置において、
前記位置指示器には、
先端部にコイルと、複数種類の情報を格納する情報格納手段と、前記タブレットから送信される制御信号を受信する制御信号受信手段と、
前記制御信号の内容に応じて前記情報格納手段に格納された複数種類の情報の中から一つの情報を選択する情報選択手段と、
前記情報選択手段によって選択された情報を前記タブレットに向けて送信する情報送信手段が設けられ、
前記タブレットには、
前記位置指示器からの前記位置指示信号を受信する位置信号受信手段と、
前記位置指示信号より前記所定のタイミングを抽出するタイミング情報抽出手段と、
前記位置指示器に前記制御信号を送信する制御信号送信手段が設けられ、
前記タブレットにおいては、
前記位置指示器から間欠的に送信される前記位置指示信号を前記位置信号受信手段により受信し、前記タイミング情報抽出手段により抽出したタイミングに同期して、前記位置指示器に前記制御信号を送信し、
前記位置指示器においては、
前記コイルから前記位置指示信号を所定の時間送信した後に、前記情報送信手段から前記制御信号受信手段に切り替えることにより、前記コイルで前記タブレットからの前記制御信号を受信し、制御信号に応じ選択された情報を送信する
ことを特徴とする位置検出装置。
【請求項２】
前記制御信号受信手段は、増幅回路および検波回路を含み、受信される信号の強度が所定レベル以上であるかどうかを判定する信号強度判定手段を含むことを特徴とする
請求項１記載の位置検出装置。
【請求項３】
前記タブレットから送信する前記制御信号は複数ビットで表されるデジタル情報として送信され、前記位置指示器中の前記制御信号受信手段は前記信号強度判定手段によって前記タブレットから送信される前記制御信号より前記デジタル情報を抽出し、前記位置指示器中の前記情報選択手段は前記抽出されたデジタル情報に基づき前記複数種類の情報の中から一つの情報を選択するようにしたことを特徴とする
請求項１または２記載の位置検出装置。
【請求項４】
前記タブレットから送信する前記制御信号は複数ビットで表されるデジタル情報に基づき時系列に２つの周波数の信号として送信されるものであり、前記位置指示器中の制御信号受信手段は信号増幅回路および周波数判定回路を含み受信される信号の周波数を時系列に判定することによりタブレットから前記時系列に送信される信号より前記デジタル情報を抽出し、位置指示器中の情報選択手段は前記抽出されたデジタル情報に基づき前記複数種類の情報の中から一つの情報を選択するようにしたことを特徴とする
請求項１または２記載の位置検出装置。
【請求項５】
電源手段を備え、タブレットに向けて所定のタイミングで間欠的に位置指示信号を送信する位置指示器と、前記位置指示信号を検出することにより前記位置指示器のタブレット面上での指示位置を求めるタブレットと、からなる位置検出装置において、
前記タブレットには、前記位置指示器からの位置指示信号の送信を開始するための起動信号を送信する起動信号送信手段を設け、
前記位置指示器には、増幅器と検波回路とからなり前記起動信号を検出するための起動信号検出回路を設け、位置指示器とタブレットとの距離が所定の範囲となった際に位置指示信号の送信を開始するように前記起動信号検出回路を構成した、
ことを特徴とする位置検出装置。
【請求項６】
電源手段を備え、タブレットに向けて所定のタイミングで間欠的に位置指示信号を送信する位置指示器と、前記位置指示信号を検出することにより前記位置指示器のタブレット面上での指示位置を求めるタブレットと、からなる位置検出装置において、
位置指示器には、
位置指示信号を送信するための第一のコイルと、
前記第一のコイルを通過する磁束の一部を囲むように巻かれた第二のコイルと、
前記タブレットからの制御信号を受信する増幅回路および検波回路からなる制御信号受信手段と、
前記制御信号受信手段により受信された内容に基づき前記第二のコイルを通過する磁束量を制御する制御手段とを設けて、
前記タブレットには、
前記位置指示器からの前記位置指示信号を受信する位置信号受信手段と、
前記位置指示信号より前記所定のタイミングを抽出するタイミング情報抽出手段と、
前記位置指示器に前記制御信号を送信する制御信号送信手段が設けられ、
前記タブレットでは、位置指示器に対して前記制御信号を送信したことによる前記第一のコイルを通過する磁束分布の変化を、信号強度の変化あるいは座標位置の変化として検出するようにした
ことを特徴とする位置検出装置。
【請求項７】
前記タブレットが、前記検出した磁束分布の変化に基づいて位置指示器のタブレット面に垂直方向を軸とした回転角を検出する手段を更に備えたことを特徴とする
請求項６記載の位置検出装置。
【請求項８】
電源手段を備え、タブレットに向けて所定のタイミングで間欠的に位置指示信号を送信する複数の位置指示部を備えた位置指示器と、前記位置指示信号を検出することにより前記位置指示器のタブレット面上での指示位置を求めるタブレットと、からなる位置検出装置において、
前記タブレットには、
前記位置指示器からの前記位置指示信号を受信する位置信号受信手段と、
前記位置指示信号より前記所定のタイミングを抽出するタイミング情報抽出手段と、
抽出された前記所定のタイミングに同期し、前記位置指示器に制御信号を送信する制御信号送信手段が設けられ、
前記位置指示器には、
複数種類の情報を格納する情報格納手段と、
前記タブレットから送信される前記制御信号を受信する前記複数の位置指示部に対応した制御信号受信手段と、
前記制御信号の内容に応じて前記情報格納手段に格納された複数種類の情報の中から一つの情報を選択する情報選択手段と、
前記情報選択手段によって選択された情報をタブレットに向けて送信する前記複数の位置指示部に対応した情報送信手段と、
更に前記制御信号を受信した前記位置指示部を判別する方向判別手段を有し、
前記タブレットから送信される前記制御信号に対応した情報と前記制御手段により判別された位置指示部の情報を、前記情報送信手段を介して、前記所定のタイミングに基づいてタブレットに送信される
位置検出装置。
【請求項９】
前記制御信号受信手段は、増幅回路および検波回路を含み、受信される信号の強度が所定レベル以上であるかどうかを判定する信号強度判定手段を含むことを特徴とする
請求項８記載の位置検出装置。
【請求項１０】
前記タブレットには、表示装置と、前記表示装置の前面に配置され透明導電物質で構成されるループコイルを設け、前記制御信号送信手段もしくは前記起動信号送信手段が前記ループコイルに交流電流を流すことによってなされるようにした
請求項１から９のいずれかに記載の位置検出装置。
【請求項１１】
電源手段を内蔵しタブレットに向けて所定のタイミングで間欠的に位置指示信号を送信する位置指示器であって、
複数種類の情報を格納する情報格納手段と、
前記タブレットからの制御信号を受信する増幅回路および検波回路からなる制御信号受信手段と、
受信される信号の強度が所定レベル以上であるかどうかを判定する信号強度判定手段と、
前記制御信号の内容に応じて前記情報格納手段に格納された複数種類の情報の中から一つの情報を選択する情報選択手段と、
前記情報選択手段によって選択された情報を前記タブレットに向けて送信する情報送信手段が設けられ、
前記位置指示信号と前記選択された情報を前記タブレットに送信する
ことを特徴とする位置指示器。
【請求項１２】
電源手段を内蔵しタブレットに向けて所定のタイミングで間欠的に位置指示信号を送信する複数の位置指示部を備えた位置指示器であって、
複数種類の情報を格納する情報格納手段と、
前記タブレットからの制御信号を受信する前記複数の位置指示部に対応した増幅回路および検波回路からなる制御信号受信手段と、受信される信号の強度が所定レベル以上であるかどうかを判定する信号強度判定手段と、
前記制御信号の内容に応じて前記情報格納手段に格納された複数種類の情報の中から一つの情報を選択する情報選択手段と、
前記情報選択手段によって選択された情報をタブレットに向けて送信する前記複数の位置指示部に対応した情報送信手段と、
更に前記制御信号を受信した前記位置指示部を判別する方向判別手段が設けられ、
前記位置指示信号と前記選択された情報と前記方向判別手段により判別された前記位置指示部の情報を、前記タブレットに送信する
ことを特徴とする位置指示器。
【請求項１３】
電源手段を内蔵しタブレットに向けて所定のタイミングで間欠的に位置指示信号を送信する位置指示器であって、
前記位置指示信号を送信するための第一のコイルと、
前記第一のコイルを通過する磁束の一部を囲むように巻かれた第二のコイルと、
前記タブレットからの制御信号を受信する増幅回路および検波回路からなる制御信号受信手段と、
前記制御信号に基づき前記第二のコイルを通過する磁束量を制御する制御手段とを設けた
ことを特徴とする位置指示器。
【手続補正２】
【補正対象書類名】明細書
【補正対象項目名】０００６
【補正方法】変更
【補正の内容】
【０００６】
上記課題を解決するために、本発明の位置検出装置は、電源手段を備え、タブレットに向けて所定のタイミングで間欠的に位置指示信号を送信する位置指示器と、この位置指示信号を検出することにより位置指示器のタブレット面上での指示位置を求めるタブレットと、からなる位置検出装置である。そして、位置指示器には、先端部にコイルと、複数種類の情報を格納する情報格納手段と、タブレットから送信される制御信号を受信する制御信号受信手段と、制御信号の内容に応じて情報格納手段に格納された複数種類の情報の中から一つの情報を選択する情報選択手段と、情報選択手段によって選択された情報をタブレットに向けて送信する情報送信手段が設けられている。
また、タブレットには、位置指示器からの位置指示信号を受信する位置信号受信手段と、位置指示信号より所定のタイミングを抽出するタイミング情報抽出手段と、位置指示器に制御信号を送信する制御信号送信手段が設けられている。
そして、タブレットにおいては、位置指示器から間欠的に送信される位置指示信号を位置信号受信手段により受信し、タイミング情報抽出手段により抽出したタイミングに同期して、前記位置指示器に前記制御信号を送信する。
また、位置指示器においては、コイルから位置指示信号を所定の時間送信した後に、情報送信手段から制御信号受信手段に切り替えることにより、コイルでタブレットからの制御信号を受信し、制御信号に応じ選択された情報を送信するようにしている。